(57)【要約】【課題】外部からのノイズ除去機能及び防水機能が発揮して、内部の複数の電線を保護することが可能なワイヤーハーネスを得る。【解決手段】ワイヤーハーネスは、各々の端末部に電線側端子３を有する複数の電線と複数の電線の周囲を完全に覆うシールド部１及びハウジング２とから構成される。外装部であるシールド部１はメイン外装部である蛇腹シールド本体部１ａとサブ外装部である取付部１ｂから構成される。蛇腹シールド本体部１ａ及び取付部１ｂはそれぞれアルミニウム、ステンレス、銅等の金属製の部材からなり、腹シールド本体部１ａは全体が蛇腹構造を呈しており、取付部１ｂと連結されている。【選択図】図１
2012064331.tif 000002
【特許請求の範囲】
【請求項１】
各々の端末部に端子を有する複数の電線と、
前記端子を除く複数の電線の周囲を透き間なく覆って形成される金属製の外装部とを備える、
ワイヤーハーネス。
【請求項２】
請求項１記載のワイヤーハーネスであって、
前記外装部は蛇腹構造を呈する、
ワイヤーハーネス。
【請求項３】
請求項１あるいは請求項２記載のワイヤーハーネスであって、
前記端末部が露出するように前記複数の電線を固定するハウジングをさらに備え、
前記外装部は
前記ハウジングと連結されるサブ外装部と、
前記サブ外装部と連結され、前記複数の電線の大部分を覆う蛇腹構造のメイン外装部とを含む、
ワイヤーハーネス。
【請求項４】
請求項３記載のワイヤーハーネスであって、
前記サブ外装部と前記メイン外装部は一体形成される、
ワイヤーハーネス。
【発明の詳細な説明】
【技術分野】
【０００１】
この発明は、複数の電線の束よりなるワイヤーハーネスに関する。
【背景技術】
【０００２】
自動車や二輪車などの各種の車両には、車両に搭載される各種の電装品等の所定の機器に接続するための複数の電線が束ねられたワイヤーハーネスが各所に配策される。
【０００３】
ワイヤーハーネスを構成する複数の電線は外部からのノイズ除去機能及び防水機能を発揮させるべく、編組線及びコルゲートチューブ等より構成されるシールド部を用いて、複数の電線の周囲を一括して包囲している。
【０００４】
このように、複数の電線の周囲を一括して包囲するシールド部を有する発明として、例えば、特許文献１に開示されたシールド部が挙げられる。
【０００５】
図５及び図６は特許文献１に開示されたシールド部に相当する従来のワイヤーハーネスの構造を示す水平断面図及び縦断面図である。
【０００６】
図５に示すように、ワイヤーハーネスより構成される導線路Ａは、３本の電線３０と、各電線３０の両端部に固着された電線側端子４０と、３本の電線３０を一括して包囲する筒状のシールド部５３を備えて構成されている。電線３０は、導体３１の外周を絶縁被覆３２で包囲したものである。
【０００７】
電線側端子４０は、厚肉の金属板材からなり、略前半部分は概ね平板状をなすとともに上下に貫通するボルト孔４２を有する機器接続部４１となっており、略後半部分はオープンバレル状の電線圧着部４３となっている。電線圧着部４３には、電線３０の導体３１が圧着により導通可能に接続されている。
【０００８】
シールド部５３は、筒状編組部材５４と金属製パイプ５５とシールドシェル５６とを備えて構成されている。
【０００９】
筒状編組部材５４は、導電性の金属細線（例えば、銅）をメッシュ状に編み込んだものであり、一方（金属製パイプ５５側）の端部は、３本の電線３０及びその電線３０に接続された電線側端子４０を挿通するのに必要な径寸法とされた小径部５４ａとされ、他方（接続用機器７０側）の端部は、３つの電線側端子４０を横に間隔を空けて並べた状態で収容できるような略楕円形をなす大径部５４ｂとされている。
【００１０】
金属製パイプ５５は、例えば、鉄、アルミニウム、銅、ステンレス等の金属で形成されている。シールドシェル５６は、金属板材（例えば、鉄、銅）に深絞り加工を施すことによって成形した一体部品であり、全体として横長の略楕円形をなす筒部５７と、この筒部５７の前端縁（接続用機器７０側の端縁）における左右両端部から左右両外側方へ張り出す板状の取付部５８とを有し、取付部５８にはボルト孔５９が形成されている。この取付部５８の前面は接続用機器７０のシールドケース７１の外壁面に対して面当たりするように当接される。
【００１１】
金属製パイプ５５の端部には、筒状編組部材５４の小径部５４ａが被せられ、その外側からカシメリング６０が外嵌され、このカシメリング６０をカシメ付けることにより筒状編組部材５４の小径部５４ａが金属製パイプ５５の前端部に対して導通可能に固着されている。
【００１２】
筒状編組部材５４の大径部５４ｂは、シールドシェル５６の筒部５７に被せられ、その外側からカシメリング６１が外嵌され、このカシメリングをカシメ付けることにより筒状編組部材５４の大径部がシールドシェル５６の筒部５７に対して導通可能に固着されている。
【００１３】
かかる導電路Ａを接続用機器７０に接続する際には、まず、３つの電線側端子４０をシールドケース７１の取付孔７５内に差し込んで機器接続部４１を機器側端子７３に載せ、双方のボルト孔７４，４２に貫通させたボルトにナットを螺合して締め付けることにより、両端子７３，４０が導通可能に接続される。この後、シールドシェル５６をシールドケース７１の外面に当接させ、シールドシェル５６のボルト孔５９に差し込んだボルト（図示せず）をシールドケース７１の雌ネジ孔７６に螺合して締め付けることにより、シールドシェル５６がシールドケース７１に対して導通可能に固定される。
【００１４】
上述のように導電路Ａは、３本の電線３０を一括して包囲するシールド部５３として、金属製パイプ５５と筒状編組部材５４とを用いたことにより、筒状編組部材５４の部分において変形可能とされたシールド部５３とを備えて構成されており、次のような効果を奏する。
【００１５】
シールド部５３は筒状編組部材５４を備えているが、筒状編組部材５４は、金属細線を編み込んだものであるため柔軟に変形することができる。したがって、機器の近傍で電線３０を大きい曲率で曲げて配索する場合にも対応することが可能となっている。
【００１６】
また、筒状編組部材５４の端部においては金属細線がほつれ易いのであるが、筒状編組部材５４をメインシールド部５１とシールドケース７１に接続する前の状態において、筒状編組部材５４の端部を金属製パイプ５５とシールドシェル５６に固着しているので、端部における金属細線のほつれが防止されている。
【先行技術文献】
【特許文献】
【００１７】
【特許文献１】特許第３９０９７６３号公報
【発明の概要】
【発明が解決しようとする課題】
【００１８】
このように、従来のワイヤーハーネスでは、複数の電線を外部からシールドする金属を用いたシールド部５３として、複数の電線の大部分を覆う金属製パイプ５５と、電線側端子４０が設けられる複数の電線３０の端末近傍領域において、変形において柔軟性を有する筒状編組部材５４とからなる構成が一般的であった。
【００１９】
しかしながら、筒状編組部材５４はその構造上（ほつれ易い等）取り扱いが難しく、組立作業に十分な配慮が払う必要があり、製造コストの増加を招く問題点があった。加えて、筒状編組部材５４の構造上、外部からの防水性を発揮することができないという問題点があった。
【００２０】
この発明は上記問題点を解決するためになされたもので、外部からのノイズ除去機能及び防水機能が発揮して、内部の複数の電線を保護することが可能なワイヤーハーネスを得ることを目的とする。
【課題を解決するための手段】
【００２１】
この発明に係る請求項１記載のワイヤーハーネスは、各々の端末部に端子を有する複数の電線と、前記端子を除く複数の電線の周囲を透き間なく覆って形成される金属製の外装部とを備える。
【００２２】
請求項２記載の発明は請求項１記載のワイヤーハーネスであって、前記外装部は蛇腹構造を呈する。
【００２３】
請求項３記載の発明は請求項１あるいは請求項２記載のワイヤーハーネスであって、前記端末部が露出するように前記複数の電線を固定するハウジングをさらに備え、前記外装部は前記ハウジングと連結されるサブ外装部と、前記サブ外装部と連結され、前記複数の電線の大部分を覆う蛇腹構造のメイン外装部とを含む。
【００２４】
請求項４記載の発明は請求項３記載のワイヤーハーネスであって、前記サブ外装部と前記メイン外装部は一体形成される。
【発明の効果】
【００２５】
請求項１記載のワイヤーハーネスの複数の電線は、それぞれの一方端部に絶縁被覆されることなく導電体が露出された端子部を有し、端子部は所定の固定部材を用いて所定の機器に固定可能な開口部を有している。
【００２６】
その結果、複数の電線自体が開口部を有することにより、新たに所定の機器に固定するための端子金具が不要となるため装置コストの低減を図ることができる。
【００２７】
加えて、端子金具を複数の電線にそれぞれ接続する圧着作業等の製造作業を省略することができるため、製造コストの低減化を図ることができる。
【００２８】
請求項２記載のワイヤーハーネスの複数の電線が隣接配置されても、複数の電線間の絶縁性を良好に保ちながら、複数の電線の配置間隔を比較的狭くすることにより、装置構成のコンパクト化を図ることができる。
【００２９】
請求項３記載のワイヤーハーネスは、複数の電線はそれぞれエナメル線を含むため、耐熱性に優れた特性を得ることができる。
【００３０】
請求項４記載のワイヤーハーネスにける外装部におけるサブ外装部とメイン外装とは一体形成されるため、外装部自体の組立作業を不要にすることができる。
【図面の簡単な説明】
【００３１】
【図１】この発明の実施の形態１であるワイヤーハーネスの構造を示す斜視図である。
【図２】実施の形態１のシールド構造を示す説明図である。
【図３】この発明の実施の形態２であるワイヤーハーネスの構造を示す斜視図である。
【図４】実施の形態２のシールド構造を示す説明図である。
【図５】従来のワイヤーハーネスの構造を示す水平断面図である。
【図６】従来のワイヤーハーネスの構造を示す縦断面図である。
【発明を実施するための形態】
【００３２】
＜実施の形態１＞
図１はこの発明の実施の形態１であるワイヤーハーネスの構造を示す斜視図である。図２は実施の形態１のシールド構造を示す説明図であり、同図(a) が上面図、同図(b)は側面図である。なお、図２において、ハウジング２の一部、電線側端子３の図示を省略している。
【００３３】
これらの図に示すように、各々の端末部に電線側端子３を有する複数の電線の周囲を完全に覆うシールド部１及びハウジング２が設けられる。また、電線側端子３には外部の機器側の端子との電気的に接続用にボルト孔３ａが設けられる。
【００３４】
外装部であるシールド部１はメイン外装部である蛇腹シールド本体部１ａとサブ外装部である取付部１ｂから構成される。蛇腹シールド本体部１ａ及び取付部１ｂはそれぞれアルミニウム、ステンレス、銅等の金属製の部材である。蛇腹シールド本体部１ａは全体が蛇腹構造を呈しており、止水ゴム８を挟んで取付部１ｂと溶接処理等を用いて連結されている。取付部１ｂは止水ゴム９を挟んでハウジング２と溶接処理等を用いて連結されており、その両側面部上端にボルト穴１ｃを有している。ボルト穴１ｃが上記外部の機器のシールドケース等との接続に用いられる。
【００３５】
ハウジング２は各々の端末部に電線側端子３が突出するように、複数の電線を固定している。なお、ハウジング２により複数の電線の固定は既存の方法により行われるため説明を省略する。
【００３６】
このように、実施の形態１のワイヤーハーネスは、金属製の外装部であるシールド部１が複数の電線の周囲を透き間無く覆って形成されるため、シールド部１によって外部のノイズに対するシールド効果、外部からの防水効果を発揮することができる。
【００３７】
加えて、実施の形態１のワイヤーハーネスの蛇腹シールド本体部１ａは蛇腹構造を呈するため、蛇腹シールド本体部１ａが変形における柔軟性を有するため、蛇腹シールド本体部１ａを変形させることによって電線側端子３に接続する外部の機器との接続作業を比較的容易に行うことができる。
【００３８】
その結果、取付部１ｂには変形における柔軟性は要求されないため、編組線等のように変形による柔軟性は有するが組立作業に手間を要する部材を取付部１ｂとして用いることを不要にすることができる。
【００３９】
＜実施の形態２＞
図３はこの発明の実施の形態２であるワイヤーハーネスの構造を示す斜視図である。図４は実施の形態２のシールド構造を示す説明図であり、同図(a) が上面図、同図(b)は側面図である。なお、図４において、ハウジング２の一部、電線側端子３の図示を省略している。
【００４０】
これらの図に示すように、各々の端末部に電線側端子３を有する複数の電線の周囲を完全に覆うシールド部１１及びハウジング２が設けられる。
【００４１】
外装部であるシールド部１１はメイン外装部である蛇腹シールド本体部１１ａとサブ外装部である取付部１１ｂから構成される。蛇腹シールド本体部１１ａ及び取付部１１ｂはアルミニウム、ステンレス、銅等の金属製の部材である。蛇腹シールド本体部１１ａは全体が蛇腹構造を呈しており、取付部１１ｂと一体形成されている。取付部１１ｂは止水ゴム９を挟んでハウジング２と溶接処理等を用いて連結されており、その両側面部上端にボルト穴１１ｃを有している。ボルト穴１１ｃが上記外部の機器のシールドケース等との接続に用いられる。なお、他の構成は図１及び図２で示した実施の形態１と同様であるため、説明を省略する。
【００４２】
このような構成の実施の形態２のワイヤーハーネスは、実施の形態１の効果に加え、サブ外装部である取付部１１ｂとメイン外装部である蛇腹シールド本体部１１ａとが一体形成されるため、シールド部１１自体の組立作業を不要にすることができる効果をさらに奏する。
【符号の説明】
【００４３】
１，１１  シールド部
１ａ，１１ａ  蛇腹シールド本体部
１ｂ，１１ｂ  取付部
２  ハウジング
３  電線側端子
【図１】
2012064331.tif 000003
【図２】
2012064331.tif 000004
【図３】
2012064331.tif 000005
【図４】
2012064331.tif 000006
【図５】
2012064331.tif 000007
【図６】
2012064331.tif 000008